(57)【要約】      （修正有）【課題】携帯電話機を横向きにして使用する場合の、キートップの判読性を向上させる。【解決手段】加速度センサー１４を用いて地面方向への重力を加速度として検知し、重力の方向とＸ軸、Ｙ軸、Ｚ軸となす角度を算出し、携帯電話機が、縦向きの使用状態またはそれに近い使用状態か、横向きの使用状態またはそれに近い使用状態かを判別する。携帯電話機が、横向きの使用状態またはそれに近い使用状態と判別した場合、時計方向に９０度回転した画像（文字、記号）を生成し、生成された画像をキートップ１７へ表示する。【選択図】図１
2009075946.tif 000002
【特許請求の範囲】
【請求項１】
表示部と、キートップに文字、記号を表示する入力部を有し、通常は本体を縦向きにして使用し、該本体を横向きにして使用する場合、前記表示部に表示する画像を９０度回転させる携帯端末装置において、
前記キートップに、文字、記号を可変に表示する電子ペーパーと、
前記携帯端末装置の本体内に設置され、地面方向への重力を加速度として検知する加速度センサーと、
前記加速度センサーを用いて地面方向への重力を加速度として検出して、重力の前記携帯端末装置の本体に対する向きから、前記本体が縦向きか横向きかを判別し、該本体が縦向きであれば、前記キートップに表示する文字、記号を、該本体の縦方向に、かつ正立するように生成して前記キートップに表示し、該本体が横向きであれば、前記キートップに表示する文字、記号を、該本体の縦方向に対して９０度回転させて、かつ正立するように生成してキートップに表示する制御手段と
を有することを特徴とする携帯端末装置。
【請求項２】
表示部と、キートップに文字、記号を表示する入力部を有し、通常は本体を縦向きにして使用し、該本体を横向きにして使用する場合、前記表示部に表示する画像を９０度回転させる携帯端末装置における、キートップ表示制御方法であって、
前記キートップに、文字、記号を可変に表示する電子ペーパーを用いるステップと、
前記携帯端末装置の本体内に設置され、地面方向への重力を加速度として検知する加速度センサーを用いて地面方向への重力を加速度として検出して、重力の前記携帯端末装置の本体に対する向きを検出するステップと、
前記本体が縦向きか横向きかを判別するステップと、
該本体が縦向きであれば、前記キートップに表示する文字、記号を、該本体の縦方向に、かつ正立するように生成して前記キートップに表示し、該本体が横向きであれば、前記キートップに表示する文字、記号を、該本体の縦方向に対して９０度回転させて、かつ正立するように生成して前記キートップに表示するステップと
を有する、キートップ表示制御方法。
【請求項３】
表示部と、キートップに文字、記号を表示する入力部を有し、通常は本体を縦向きにして使用し、該本体を横向きにして使用する場合、前記表示部に表示する画像を９０度回転させ、前記キートップに、文字、記号を可変に表示する電子ペーパーを用いた携帯端末装置における、キートップ表示制御プログラムであって、
前記携帯端末装置の本体内に設置され、地面方向への重力を加速度として検知する加速度センサーを用いて地面方向への重力を加速度として検出して、重力の前記携帯端末装置の本体に対する向きを検出する手順と、
前記本体が縦向きか横向きかを判別する手順と、
該本体が縦向きであれば、前記キートップに表示する文字、記号を、該本体の縦方向に、かつ正立するように生成して前記キートップに表示し、該本体が横向きであれば、前記キートップに表示する文字、記号を、該本体の縦方向に対して９０度回転させて、かつ正立するように生成して前記キートップに表示する手順と
をコンピュータに実行させるためのキートップ表示制御プログラム。
【発明の詳細な説明】
【技術分野】
【０００１】
本発明は携帯端末装置に関し、特に、表示部と、キートップに文字、記号を表示する入力部を有し、通常は本体を縦向きにして使用し、該本体を横向きにして使用する場合、前記表示部に表示する画像を９０度回転させる、携帯電話機、ＰＤＡ（Ｐｅｒｓｏｎａｌ  Ｄｉｇｉｔａｌ  Ａｓｓｉｓｔａｎｔｓ）等の携帯端末装置に関する。
【背景技術】
【０００２】
携帯電話機を代表する携帯端末装置においては縦方向が長い長方形の形状の表示部が搭載されることが多い。この形状の表示部では電話帳やメール等を表示する目的では都合がよいが、動画再生等では横方向が長い画像が多いため携帯電話機を横に倒して使用することが求められてきた。この場合、キートップに印字された文字や記号はユーザにとって見づらく、操作しづらいものとなっていた。
【０００３】
この問題を解決するために、利用者が動画再生等を行うために携帯電話機を横向きに持った場合、キートップの配置を９０度回転させて、キートップの各種キーの位置関係を、その表示の向きも含めて携帯電話機を縦向きで持っている場合と同じになるようにした携帯電話機が提案されている（特許文献１、特許文献２等）。
【特許文献１】特開２００５−１２４９３号公報
【特許文献２】特開２００５−２８４９９９号公報
【発明の開示】
【発明が解決しようとする課題】
【０００４】
この場合、キートップの各種キーの位置関係が、携帯電話機を縦向きで持っている場合と同じになるため、操作しやすいが、回路構成が複雑になり、携帯電話機のコストアップになっていた。
【０００５】
本発明の目的は、携帯端末装置を横向きに持った場合、操作性はやや劣るが、キートップに表示された文字、記号が見やすく、そのためのコストアップも少ない携帯端末装置、キートップ表示制御方法、およびキートップ表示制御プログラムを提供することにある。
【課題を解決するための手段】
【０００６】
本発明の携帯端末装置は、
キートップに、文字、記号を可変に表示する電子ペーパーと、
携帯端末装置の本体内に設置され、地面方向への重力を加速度として検知する加速度センサーと、
加速度センサーを用いて地面方向への重力を加速度として検出して、重力の前記携帯端末装置の本体に対する向きから、本体が縦向きか横向きかを判別し、該本体が縦向きであれば、キートップに表示する文字、記号を、該本体の縦方向に、かつ正立するように生成してキートップに表示し、該本体が横向きであれば、キートップに表示する文字、記号を、該本体の縦方向に対して９０度回転させて、かつ正立するように生成してキートップに表示する制御手段と
を有する。
【０００７】
また、本発明のキートップ表示制御方法は、
キートップに、文字、記号を可変に表示する電子ペーパーを用いるステップと、
携帯端末装置の本体内に設置され、地面方向への重力を加速度として検知する加速度センサーを用いて地面方向への重力を加速度として検出して、重力の携帯端末装置の本体に対する向きを検出するステップと、
本体が縦向きか横向きかを判別するステップと、
該本体が縦向きであれば、キートップに表示する文字、記号を、該本体の縦方向に、かつ正立するように生成してキートップに表示し、該本体が横向きであれば、キートップに表示する文字、記号を、該本体の縦方向に対して９０度回転させて、かつ正立するように生成してキートップに表示するステップと
を有する。
【０００８】
また、本発明のキートップ表示制御プログラムは、
携帯端末装置の本体内に設置され、地面方向への重力を加速度として検知する加速度センサーを用いて地面方向への重力を加速度として検出して、重力の携帯端末装置の本体に対する向きを検出する手順と、
本体が縦向きか横向きかを判別する手順と、
該本体が縦向きであれば、キートップに表示する文字、記号を、該本体の縦方向に、かつ正立するように生成してキートップに表示し、該本体が横向きであれば、キートップに表示する文字、記号を、該本体の縦方向に対して９０度回転させて、かつ正立するように生成してキートップに表示する手順と
をコンピュータに実行させる。
【発明の効果】
【０００９】
携帯電話機が、縦向きの使用状態か、横向きの使用状態かを判別し、携帯電話機が、横向きの使用状態と判別した場合、キートップへ表示する９０度回転した画像を生成して、生成された画像（文字、記号）をキートップへ正立させて表示することにより、横向きの使用状態でのキートップの文字（数字を含む）、記号の判読性を少ないコストアップで向上させることができる。
【発明を実施するための最良の形態】
【００１０】
次に、本発明の実施の形態について図面を参照して説明する。
【００１１】
図１は本発明の一実施形態による携帯端末装置としての携帯電話機の概略構成を示したものである。
【００１２】
本実施形態の携帯電話機は、ＣＰＵ（中央処置装置）１０を搭載しており、ＣＰＵ１０はバス１００を介し携帯電話機内の各部に接続されている。ＲＯＭ１１は、ＣＰＵ１０が動作するための各種制御用プログラム等の固定データを格納したリード・オンリ・メモリである。作業用メモリ１２は、ＲＡＭ（ランダム・アクセス・メモリ）によって構成されており、ＣＰＵ１０がプログラムを実行する上で一時的に必要とされるデータを格納する。送受信部１３は、通信データを変調および復調し無線通信を行う回路である。加速度センサー１４は、重りがＸ軸方向およびＹ軸方向およびＺ軸方向に配置された３つの素子で支える構造となっており、加速度が発生したとき素子の変動を検知することでＸ軸およびＹ軸およびＺ軸方向への加速度を算出でき、さらに地面方向への重力を加速度として検知できるため、携帯電話機の、地面方向に対する傾きを算出することができる回路である。入力部１５は、入力キー１６からのキー入力を検知する回路である。また、キートップ１７は入力キー１６のそれぞれの表面に電子ペーパーが配置されており、表示装置としても機能することができるようになっている。表示制御部１８は、表示部１９の表示を制御する制御回路である。表示部１９は、白黒あるいはカラー液晶パネルあるいは有機ＥＬ（電子蛍光）等の表示装置である。マイク２０は、音声を送話するための装置である。スピーカ２１は、メロディ・音声・確認音等を鳴動するための装置である。なお、表示部１９と入力部１５は、図２に示すように、ヒンジ２３で接続されている。
【００１３】
図２は図１の携帯電話機を縦向きにした通常の使用状態で、表示部１９が回転しない内容を表示するときのキートップ１７の各種キーを示す図、図３は図１の携帯電話機を反時計周りに９０度横に倒した使用状態で、表示部１９に９０度回転させた内容を表示するときのキートップ１７の各種キーを示す図である。
【００１４】
図４は入力部１５の構造を示す斜視図、図５は同構造を示す断面図である。これらの図は電子ペーパーを用いて文字や記号を可変表示する、特開２００５−３５２９８７号公報に開示された構造である。
【００１５】
図において、電気回路を構成する回路基板１４００の上にスイッチシート１３００が配置され、スイッチシート１３００の上に電子ペーパー１２００が配置され、さらに電子ペーパー１２００の上に透明なキーシート１１００が配置されている。キーシート１１００には、携帯端末機の筐体１５００の所定の開口１５０１から筐体上面を覗く位置に凸状、かつ透明なキートップ１１０１が所定数一体に形成されている。スイッチシート１３００はクリック感を与える部材１３０１を有し、スイッチ部１３０１は電子ペーパー１２００を挟んでキートップ１１０１の底面と向かい合って配置されている。電子ペーパー１２００への通電は回路基板１４００から配線１２０１により行われる。一般的であるので図示していないが、部材１３０１の下に位置するキーシート１３００の面と回路基板１４００の面でスイッチ接点を構成している。
【００１６】
電子ペーパー１２００に表示された文字、記号は、透明なキートップ１１０１を透過して、ユーザに認識される。また、キーシート１１００上のキートップ１１０１に対するユーザのキータッチはスイッチ接点にて検出され、その入力は基板１４００にて処理される。一枚の薄く柔らかい電子ペーパーを用いた場合、ユーザによるキータッチが電子ペーパー１２００を介して他のスイッチ部に伝わることはなく、構造も簡単である。
【００１７】
次に、図１の携帯電話機の使用状態に応じてキートップ１７の表示を可変させる動作を図６に基づいて説明する。ここで、図２に示すように、例えば、Ｘ軸、Ｙ軸、Ｚ軸をそれぞれ携帯電話機の縦方向、横方向、携帯電話機の平面に直交する方向とする。また、図６に示す動作は制御手段であるＣＰＵ１０で行われる。まず、加速度センサー１４を用いて地面方向への重力を加速度として検知し、重力の方向とＸ軸、Ｙ軸、Ｚ軸となす角度を算出する（ステップ１０１）。ステップ２０１の算出結果より、携帯電話機が、図２に示す、縦向きの使用状態またはそれに近い使用状態か、図３に示す、横向きの使用状態またはそれに近い使用状態かを判別する（ステップ１０２）。携帯電話機が、図２に示す、縦向きの使用状態またはそれに近い使用状態と判別した場合、表示部１９へ表示する正立した画像（文字、記号）を生成し（ステップ１０３）、生成された画像を表示部１９へ表示する（ステップ１０４）。次に、キートップ１７へ表示する正立した画像を生成し（ステップ１０５）、生成された画像をキートップ１７へ表示する（ステップ１０６）。ステップ１０２の結果より、携帯電話機が、図３に示す、横向きの使用状態またはそれに近い使用状態と判別した場合、表示部１９へ表示する、時計方向に９０度回転した画像を生成し（ステップ１０７）、生成された画像を表示部７１へ表示する（ステップ１０８）。次に、キートップ１７へ表示する、時計方向に９０度回転した画像を生成し（ステップ１０９）、生成された画像をキートップ１７へ表示する（ステップ１１０）。
【００１８】
以上、携帯電話機を例に本発明を説明したが、本発明は、ＰＤＡ等の同様の携帯電話端末装置にも適用できる。
【００１９】
また、図６に示した動作は、その動作を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラムを保持しているものを含む。
【図面の簡単な説明】
【００２０】
【図１】本発明の一実施形態による携帯端末装置としての携帯電話機の概略構成を示す図である。
【図２】図１の携帯電話機を縦向きにした通常の使用状態で、表示部１９が回転しない内容を表示するときのキートップ１７の各種キーを示す図である。
【図３】図１の携帯電話機を反時計周りに９０度横に倒した使用状態で、表示部１９に９０度回転させた内容を表示するときのキートップ１７の各種キーを示す図である。
【図４】入力部１５の構造を示す斜視図である。
【図５】入力部１５の構造を示す断面図である。
【図６】図１の携帯電話機の使用状態に応じてキートップ１７の表示を可変させる動作を示すフローチャートである。
【符号の説明】
【００２１】
１０  ＣＰＵ
１１  ＲＯＭ
１２  作業用メモリ
１３  送受信部
１４  加速度センサー
１５  入力部
１６  入力キー
１７  キートップ
１８  表示制御部
１９  表示部
２０  マイク
２１  スピーカ
２２  バス
２３  ヒンジ
１０１〜１１０  ステップ
【図１】
2009075946.tif 000003
【図２】
2009075946.tif 000004
【図３】
2009075946.tif 000005
【図４】
2009075946.tif 000006
【図５】
2009075946.tif 000007
【図６】
2009075946.tif 000008